(57)【要約】【課題】自脱型コンバイン等に用いる脱穀機の受網で、作業中に藁屑等が網上に異常に堆積しても、簡単容易に除去出来て、作業の効率に支障のない受網を得る。【解決手段】脱穀機の受網を、湾曲した四角形状の上側構成部と下側構成部とに分割し、上側構成部は上側フレームに多数の鋼線を横設する一方、下側構成部は下側フレームに多数の縦プレートを縦設すると共に、上記縦プレートには、上記各鋼線用の嵌入溝を穿設し、上下の両構成部を緊締具にて締結して網状に構成した。【選択図】　　　　図４
2004081035.tif 000002
【特許請求の範囲】
【請求項１】
脱穀機（１）の受網（４）を、湾曲した四角形状の上側構成部（２０）と下側構成部（２４）とに分割し、上側構成部（２０）は上側フレーム（２１）に多数の鋼線（２２）を横設する一方、下側構成部（２４）は下側フレーム（２９）に多数の縦プレート（３１）を縦設すると共に、上記縦プレート（３１）には、上記各鋼線（２２）用の嵌入溝（３２）を穿設し、上下の両構成部（２０，２４）を緊締具にて締結して網状に構成したことを特徴とする脱穀機の受網。
【発明の詳細な説明】
【０００１】
【発明の属する技術分野】
本発明は、コンバイン等に用いる脱穀機の受網の構成に関するものである。
【０００２】
【従来の技術】
従来、この種の脱穀機の受網は、湾曲した四角形状のフレームに縦横の鋼線からなるクリンプ網を張設して構成していた。
【０００３】
【発明が解決しようとする課題】
しかしながら、コンバイン等で刈取・脱穀作業を行っている内に脱穀機の扱室内の網上に藁屑等が異常に堆積して脱穀作業の続行が不能となって掃除を必要とするような場合、藁屑等がクリンプ網の網目に楔状に引っ掛かって、これらの除去がやり難くく、時間と労力がかかって作業効率を悪くするとの課題があった。
本発明の目的は、上記従来の課題を改善することにある。
【０００４】
【課題を解決するための手段】
上記目的を達成するため、本発明においては、脱穀機の受網を、湾曲した四角形状の上側構成部と下側構成部とに分割し、上側構成部は上側フレームに多数の鋼線を横設する一方、下側構成部は下側フレームに多数の縦プレートを縦設すると共に、上記縦プレートには、上記各鋼線用の嵌入溝を穿設し、上下の両構成部を緊締具にて締結して網状に構成したことを特徴とする。
【０００５】
【発明の実施の形態】
本発明の実施の形態について、以下図面の例に基づいて説明する。
図１は、自脱型コンバイン等に採用される脱穀装置の全体側断面図である。
図において、１は脱穀機、２は扱胴、３は扱胴周面に多数植設された扱歯、４ａはその下方に設けた受網であって、通常の脱穀機と同様に、前後の側壁５ａ，５ｂと上方の天板６及び下方の受網４ａとで囲まれた扱室７内で、フィードチェン８で挟持搬送された穀稈が、扱胴２の回転により脱粒処理されるようになっている。
【０００６】
そして、上記扱室７内で脱粒処理された被脱穀物は、受網４ａを洩下して下方の揺動選別体１０上に落下して穀粒と藁屑とに選別処理され、穀粒は一番螺旋１１で機端に横送りされた後、揚穀螺旋１２にて穀粒タンク１３内に収納され、藁屑等は後方下方の排塵口１４より機外に排出される。
一方、扱室７内で受網４ａから洩下しなかった小枝梗や穂切等は送塵口９を通じて後方の処理室１５内に入り、処理胴１６にて再度脱粒処理を受けて、その下方の受網４ｂより洩下して上記揺動選別体１０上に落下し、先と同様に選別処理される。
また、フィードチェン８にて挟持され、扱室７から後方に排出された排稈は、排稈搬送装置１７に引継がれ、藁処理装置の一つであるカッタ１８にて所定の寸法に切断された後、圃場上に散布されるようになっている。
【０００７】
次に、図２の受網４（４ａ，４ｂ）の上側構成部２０について説明するに、２１は側面視では後述（図５）するように中央部が下方側に湾曲した四角形状の上側フレーム、２２は上記上側フレーム２１に等間隔で横方向に張設した鋼線であって、その中央部分を除き、多数本が張設されている。
そして、該上側フレーム２１には左右の上部に２ヵ所の位置決め穴２３，２３が設けられていて、後述する下側構成部２４と合体させた際の位置決めを成す。なお、上側フレーム２１の四隅にある２５ａ・・・は、下側構成部２４との合体用のボルト孔であり、２６は受網４ａを脱穀機１に取付ける際の取付けプレートで、側面視（図５参照）でＬ字形状を成し、その中間部には複数の取付孔２７，２７を有する。
【０００８】
また、図３の下側構成部２４は、上側構成部２０と同様に側面視で湾曲した四角形状の下側フレーム２９が、中央部分の横桟２９ａ部分を残して上下に窓部３０，３０を設け、該窓部３０に後述（図５）するように中央部が下方側に湾曲して厚みのある縦プレート３１を等間隔で多数設けて構成し、上記縦プレート３１・・・に、上記各鋼線２２・・・用の嵌入溝３２・・・をその本数分穿設したものである。
【０００９】
そして、下側フレーム２９の上部側には、上側構成部２０をセットした状態で上記位置決め穴２３，２３に位置合わせするための左右の位置決めピン３３，３３が設けられている。
更に、下側フレーム２９の四隅には、上側フレーム２１同様に、ボルト孔２５ｂ・・・が設けられている。
なお、位置決めピン３３，３３上部の突起は、受網４ａを脱穀機１内に装着する際の取付部３４，３４であり、側面視Ｌ字状の取付プレート３５に装着されている（図５参照）。
【００１０】
次に、図４は上記上側構成部２０と下側構成部２４とを合体して受網４ａに構成した時の平面図であって、これらは上側フレーム２１に設けた位置決め穴２３，２３に、下側フレーム２９の位置決めピン３３，３３を当接させた状態で、上下の各ボルト孔２５ａ，２５ｂ・・・を位置合わせした後、ワッシャ３７・・とボルト３８・・・を介して両者を一体状に合体することによって、網状の受網４ａを構成している。
【００１１】
また、図５（ａ）は図４のＡ−Ａ線断面図であり、図５（ｂ）はその部分拡大図である。
受網４ａを脱穀機１の所定箇所に装着する際には、下側構成部２４の最上部の取付部３４，３４側を脱穀機枠に形成された図示しない取付穴に挿入係止した状態で、取付プレート２６の取付穴２７・と脱穀機枠とを図示しない緊定具にて締結するようになっている。
なお、本実施例では扱室７に設けた受網４ａの例について説明したが、処理室１５に設けた受網４ｂの場合も略同様であり、また、その他同様な各種受網４にも応用できるものであることは勿論である。
【００１２】
本発明の脱穀機の受網は、以上のような構成よりなっており、図４乃至５に記載の如き上側構成部２０と下側構成部２４とを合体した状態で、脱穀機１にセットして、コンバインにて刈取・脱穀作業を行うが、被刈取穀稈の種類や生育状態、及び乾燥度合等により扱室７内の藁屑等の分量や性状等が左右される。
そして、刈取・脱穀作業を継続している内に、扱室７内の受網４ａ上に藁屑等が異常に堆積して脱穀作業の続行が不能となって掃除を必要とするような場合、大量の藁屑等が受網４ａに楔状に引っ掛かっているが、この時には、取付プレート２６の緊定具を外し、受網４ａ全体を脱穀機１から引き抜いて、四隅にある各ボルト３８・・・を外し、上側構成部２０と下側構成部２４とを分離する。
それにより、大部分の藁屑等は鋼線２２や縦プレート３１から容易に外れるものであるが、更に、残っている藁屑等も簡単な掃除をする丈で容易に除去出来るものである。
そして、受網４ａの掃除が完了したならば、再び元の状態にセットして作業を再開すれば良い。
【００１３】
従って、本案によると、受網４ａに引っ掛かった藁屑等の除去のために、従来の如く時間や労力がかかるようなことがなく、掃除をする際の作業が迅速となって、作業能率の向上に寄与するものである。
しかも、上側フレーム２１に架設した鋼線２２・・・を、下側フレーム２９に設けた縦プレート３１・・・の各嵌入溝３２・・・の中に嵌め込むことにより、鋼線２２の位置がずれるようなことがなく、強度が保てるものである。
【００１４】
次に、図６はコンバインの排稈搬送装置１７に係る要部の平面図を示し、従来、排稈の穂先搬送は爪付きチェンでの駆動方式であったが、この方式であると、爪が搬送藁層に当たることにより高負荷が発生したり、搬送ケース内への藁屑の持込みが発生する等の不具合が発生していた。
そこで、本案は扱歯を螺旋状に配列した穂先側処理胴４０にして、排稈チェン４１に対し、平行又は一定角度（θ）を保つように構成したものであって、４２は扱胴出力軸、４３はジョイント、４４は処理胴扱歯である。
【００１５】
このように扱歯４４を螺旋状に配列した穂先側処理胴４０にすることにより、搬送系統がコンパクトになると共に、従来のチェンを軸駆動とすることにより騒音の低減に繋がるものである。
また、排稈チェン４１と穂先側処理胴４０との成す角度とをθの角度で取付けることにより、扱歯４４が排稈の穂先側から株元側に当たり、万遍なくササリ粒が落とせる。
なお、上記扱歯４４を螺旋に変更しても良いことは勿論である。
【００１６】
また、図７はコンバインに装着されるディスク型カッタ１８のカッタ軸４６への排藁の巻き付き防止用スクレーパ４７に関する要部の側面図である。
従来、この種のスクレーパは、藁の巻付防止用として取り付けられ、全体を樹脂等で構成していた。
しかしながら、スクレーパ４７は後付け組み立ての都合上、カッタ軸４６の半周程度迄しか覆うことが出来ず、組み付け易い反面、外れ易いとの欠点があった。
そこで、本案ではスクレーパ４７の一部を切欠き、その切欠部に弾性体４８を設けることによって、スクレーパ４７挿入時、カッタ軸４６の半周以上を覆うように構成したものであって、４９はスクレーパ結合部、５０はスクレーパ可動部、５１はリンクシャフト、５２はスターホイル刃、５３は鋸刃を夫々示す。
【００１７】
そして、スクレーパ４７を外す場合には、リンクシャフト５１をカッタ軸４６の上方で引き抜いて、各スクレーパ４７・・・をフリーにした後、スクレーパ４７をＢ方向に引っ張ることにより、スクレーパ可動部５０はカッタ軸４６の外周に沿って、弾性体４８をおし縮めながら外れるものである。
従って、スクレーパ４７の後付け装着時、カッタ軸４６を半周以上覆うことが可能になったため、藁巻き付きによるスクレーパ４７の外れる不具合が解消するものである。
【００１８】
【発明の効果】
本発明は、前記の如く、脱穀機１の受網４を、湾曲した四角形状の上側構成部２０と下側構成部２４とに分割し、上側構成部２０は上側フレーム２１に多数の鋼線２２・・を横設する一方、下側構成部２４は下側フレーム２９に多数の縦プレート３１・・を縦設すると共に、上記縦プレート３１には、上記各鋼線２２・・用の嵌入溝３２・・を穿設し、上下の両構成部２０，２４を緊締具にて締結して網状に構成したので、受網４上に引っ掛かった藁屑等の除去のために、特別の時間や労力がかかるようなことがなく、その整備作業が迅速となって、作業の能率向上に寄与するものである。
しかも、上側フレーム２１に架設した多数の鋼線２２・・・を、下側フレーム２９に設けた多数の縦プレート３１・・・の各嵌入溝３２・・・の中に嵌め込むことにより、鋼線２２の位置がずれるようなことがなく、強度が保てて耐久性に勝るとの効果も併せ奏するものである。
【図面の簡単な説明】
【図１】本願発明の脱穀装置の全体側断面図である。
【図２】受網の上側構成部の平面図である。
【図３】受網の下側構成部の平面図である。
【図４】上側構成部と下側構成部とを合体して受網に構成した時の平面図である。
【図５】同上受網に構成した状態を示し、（ａ）は図４のＡ−Ａ線断面図であり、（ｂ）はその部分拡大図である。
【図６】コンバインの排稈搬送装置に係る要部の平面図である。
【図７】コンバインに装着されるディスク型カッタのカッタ軸への藁の巻き付き防止用スクレーパに関する要部の側断面図である。
【符号の説明】
１　脱穀機
４，４ａ，４ｂ　受網
７　扱室
１０　揺動選別体
１５　処理室
２０　上側構成部
２１　上側フレーム
２２　鋼線
２４　下側構成部
２５ａ，２５ｂ　ボルト穴
２６，３５　取付プレート
２９　下側フレーム
３１　縦プレート
３８　ボルト
【図１】
2004081035.tif 000003
【図２】
2004081035.tif 000004
【図３】
2004081035.tif 000005
【図４】
2004081035.tif 000006
【図５】
2004081035.tif 000007
【図６】
2004081035.tif 000008
【図７】
2004081035.tif 000009